(57)【特許請求の範囲】
【請求項１】
収納部を上昇および下降できるように取り付け基台に枢支した支持手段と、収納部の下降動作でチャージされて抵抗を増す付勢手段と、収納部の上昇および下降に際し速度を抑制するように常時働くダンパー手段とを備え、付勢手段は、支持手段の収納部を下降させる伏倒動作の途中位置にて付勢手段をチャージし始めることを特徴とする収納部用昇降支持ユニット。
【請求項２】
収納ボード内に請求項１に記載の収納部用昇降支持ユニットを収容して、取り付け基台を収納ボードに取り付けるとともに、平行リンクの自由端部側に収納部を支持したことを特徴とする昇降収納装置。
【請求項３】
ダンパー手段は支持手段に対し、支持手段が収納部を格納した後方への傾斜姿勢からほぼ垂直姿勢になる位置までダンパー手段と平行リンクとの間に遊びを設けてある請求項２に記載の昇降収納装置。
【発明の詳細な説明】
【０００１】
【産業上の利用分野】
本発明は厨房等で各種の物を収納しておくのに利用する収納部用昇降支持ユニットおよびこれを用いた昇降収納装置に関するものである。
【０００２】
【従来の技術】
このような収納部用昇降支持ユニットおよびこれを用いた昇降収納装置は、特開昭６１−１５４６１０号公報等で知られている。
【０００３】
このものは、収納ボードの両側内面に個別に枢支した両側の平行リンクの自由端部間に収納部を支持し、収納部を収納ボードへの格納位置と収納ボードの前部下方に引出し下降させた取出し位置との間で昇降できるようにしている。リンクと固定部との間に引っ張りばねを働かせてリンク対が収納部を低速度で下降させられるようにし、かつ平行リンクが垂直姿勢よりも後方に傾斜した傾斜姿勢にて収納部を格納位置に支持することにより、地震等にても不用意に前方へ張り出し、また取出し位置に下降するようなことを防止し、使用の安全を図っている。
【０００４】
【発明が解決しようとする課題】
しかし、上記従来のような構成では、リンクと固定部との間に引っ張りばねを働かせるだけで収納部の下降速度を制限する構造のため、収納部とこれに収納する物との重量が大きければ、強力で長いばねを用いないと十分なダンパー機能を発揮できないので、収納部を取出し位置に下降させる場合の、平行リンクが前方へ大きく傾斜することにより収納部の重量が下降速度を増速するように働くまでは抵抗が大きくなり過ぎ使用しにくいものとなる。
【０００５】
また、平行リンクが垂直姿勢よりも後方へ傾斜した傾斜姿勢にて収納部を格納位置に支持することにより使用の安全を図ることはできるが、引っ張りばねは、平行リンクが後方への傾斜姿勢から垂直姿勢に起こした後、さらに取出し位置へ下降させる全工程でダンパーとして働くので、平行リンクが後方への傾斜姿勢から垂直姿勢になるまでは収納部を持ち上げる動作になるのに加え引っ張りばねに抗して行うことになり、静止している重量物を動かし始めるのに大きな力が必要であることと相まって、収納部を取出し位置に引出し下降させる場合の初期動作が重く、使用に不便なものとなっている。
【０００６】
本発明は、このような問題を解消することを課題とし、安全性を十分確保してしかも使用に便利な収納部用昇降支持ユニットおよびこれを用いた昇降収納装置を提供することを目的とするものである。
【０００７】
【課題を解決するための手段】
本発明の収納部用昇降支持ユニットは、上記のような目的を達成するために、収納部を上昇および下降できるように取り付け基台に枢支した支持手段と、収納部の下降動作でチャージされて抵抗を増す付勢手段と、収納部の上昇および下降に際し速度を抑制するように常時働くダンパー手段とを備え、付勢手段は、支持手段の収納部を下降させる伏倒動作の途中位置にて付勢手段をチャージし始める構成としたものである。
【０００８】
【作用】
本発明の収納部用昇降支持ユニットは、支持手段の収納部を下降させる伏倒動作の途中でチャージされて抵抗を増す付勢手段と、収納部の昇降時に常時働いて速度を抑制するダンパー手段を備えているので、ダンパー手段で収納物品の昇降速度を抑制するのと同時に、収納物品の重量が収納部の下降速度を増速させるのに従い付勢手段がチャージされて抵抗を増すので、収納部は比較的低速度で安全に下降する。
【０００９】
【実施例】
以下本発明の収納部用昇降支持ユニットおよびこれを用いた昇降収納装置の幾つかの実施例について、図１〜図８を参照しながら説明する。
【００１０】
図１〜図６は本発明の第１の実施例を示している。本実施例は図１〜図３に示すように収納部用昇降支持ユニットＡを、収納ボードＢに収容して、かご形式の収納部Ｃを昇降できるように支持した収納装置の場合を示している。
【００１１】
収納部用昇降支持ユニットＡは、図４〜図６に示すように、自由端部間で収納部Ｃを支持する両側の平行リンク１、２を左右の取付け基台３、４に個別に枢支し、両側の平行リンク１、２の対向し合う前部側のリンク１ａ、２ａを枢支しかつこれに同体回転する枢軸５、６どうしを連結軸１７により連結一体化してある。これにより各取り付け基台３、４を一体化するとともに両側の平行リンク１、２が連動するようになる。
【００１２】
したがって、各取付け基台３、４に枢支した両側の平行リンク１、２はユニット化した収納部用昇降支持ユニットＡを構成するので、これの全体を１つのものとして取扱い、各取付け基台３、４を収納ボードＢの両側の内面に双方間の特別な位置合わせ作業を必要とせずに、ねじ１０等により容易に取付けることができる。奥側のリンク１ｂ、２ｂの枢軸７、８どうしをも連結一体化すると、各取付け基台３、４の一体化の剛性および両側の平行リンク１、２の連動剛性をさらに高めることができる。
【００１３】
平行リンク１、２は、それぞれの前後のリンク１ａと１ｂの自由端部間、およびリンク２ａと２ｂの自由端部間が、収納部Ｃを取付ける取付け座１ｃ、２ｃにより連結されて、収納部Ｃを支持していない状態で、収納部用昇降支持ユニットＡ側の完結した平行リンクをなすようにしてある。したがって、平行リンク１、２の自由端部間に収納部Ｃを支持するには、この取付け座１ｃ、２ｃを収納部Ｃの両側板９にねじ１０等により取り付ければよい。
【００１４】
このような組み立て構造上、収納部用昇降支持ユニットＡを収納ボードＢに収容して収納部Ｃを昇降できるように支持した本実施例の収納装置は作業工数少なく容易かつ迅速に組み立てることができる。収納ボードＢ内の収納部用昇降支持ユニットＡによって支持した収納部Ｃは、両側の平行リンク１、２が各取付け基台３、４上で枢軸５〜８を中心として起伏することにより、収納ボードＢ内に図１、図２に示すように位置した格納位置と、収納ボードＢの前方下部に図３に示すように引出し下降させた取出し位置との間で昇降される。
【００１５】
また、両側の平行リンク１、２が連動することにより、両側の平行リンク１、２による収納部Ｃの支持や動きに差が生じることはなく、両側の平行リンク１、２の自由端部間で支持する収納部Ｃが図示するかご形式のような簡易な剛性の低いのものであっても、十分な支持剛性を発揮して収納部Ｃによじれや揺れが生じるのを防止し、全体を軽量かつ小型なものとすることができる。
【００１６】
一方、平行リンク１、２の後部側のリンク１ｂ、２ｂを枢支しかつこれに同体回転する枢軸７、８と取付け基台３、４との間には、平行リンク１、２の収納部Ｃを取出し位置に下降させる速度を制限するダンパー機構１１、１２を働かせてある。このダンパー機構１１、１２は前記枢軸７、８の一方にのみ働かせても、両側の平行リンク１、２が連動するものであることにより、双方に均等に働かせることができるし、本実施例のように２つのダンパー機構１１、１２を双方に分担して働かせても、これらが同種のものかどうかに係わりなく、両側の平行リンク１、２に均等に働かせることができる。
【００１７】
ダンパー機構１１、１２は、取付け基台３、４の両端部が外側に向け折曲げられた取付け座３ａ間、および４ａ間の空間部に収容して働かせてあり、取付け座３ａ間、および４ａ間に渡して溶接付けした取付け板２０を利用し装備してある。
【００１８】
ダンパー機構１１、１２は枢軸７、８の回転を利用して働かせてあり、リンク１ａ〜２ｂとは切り離したリンク１ａ〜２ｂの支持構造部に装備し、枢軸５〜８の回転動作を利用してコンパクトに設けることができる。
【００１９】
具体的には、一方のダンパー機構１１は蔓巻きばね２１とロータリ式のオイルダンパ２２とを働かせ、他方のダンパー機構１２は蔓巻きばね３１のみを働かせてある。
【００２０】
ダンパー機構１１の蔓巻きばね２１は、枢軸７の取付け板２０の内側に突出した部分のまわりに巻回され、図４、図５に示すように一方の端部２１ａが、取付け板２０の内側面に溶接付けした係止部材２５によって受止められ、他方の端部２１ｂが、取付け板２０と取付け基台３との間で枢軸５に同体回転するように装着した大径のギヤ２６上の複数の取付け穴２３のいずれかに取り付けた押動ピン２４と遊びＳを持って対向している。
【００２１】
これによって、平行リンク１、２が図４に示す矢印の方向に伏倒して収納部Ｃを収納ボードＢから引出し下降させる動作にギヤ２６が連動して回転すると、押動ピン２４は最初前記蔓巻きばね２１の端部２１ｂに近づくだけであるが、平行リンク１、２の傾きが大きくなって収納部Ｃの重量が下動速度を増速させるようになる所定の途中位置にて前記遊びＳがなくなり、以降端部２１ｂを押動していって係止部材２５により受止められている一方の端部２１ａとの間で蔓巻きばね２１を次第にチャージしていき、収納部Ｃの重量が下降速度を増速するように影響しても、前記チャージ動作時の抵抗によって前記影響を緩和し、平行リンク１、２が低速で下降できるようにする。
【００２２】
オイルダンパ２２は取付け板２０の内面に取付けられ、これの図６に示す回転軸２２ａに装着したピニオンギヤ２７がギヤ２６に噛み合い、平行リンク１、２が伏倒するときの枢軸７の回転が増速して回転軸２２ａに伝達されるようにしている。
【００２３】
したがって、回転軸２２ａに取り付けた回転羽根２２ｂと、オイルダンパ２２内の制動羽根２２ｃとの相対速度が増大され、オイルダンパ２２内に封入してあるオイルによる回転羽根２２ｂの回転抵抗を大きくする。これにより平行リンク１、２が起立状態から伏倒し始めて前記蔓巻きばね２１が働き始める位置までの引き出し速度を、小さなダンパー容量のものにて十分に制限することができる。
【００２４】
他方のダンパー機構１２の蔓巻きばね３１は、枢軸８とこれに装着した前記ギヤ２６に代わる回転盤３２とによって、前記蔓巻きばね２１とほぼ同様に設けられている。蔓巻きばね３１の一方の端部３１ａを取付け板２０に螺合させた係止ボルト３３によって受止めた点が、蔓巻きばね２１の場合と異なっている。
【００２５】
係止ボルト３３はこれを回転させることによって、前記端部３１ａと対向する位置に進出したり、この対向位置から後退させたりすることができる。係止ボルト３３を後退位置としておくことにより、蔓巻きばね３１の他方の端部３１ｂが回転盤３２上の押動ピン２４によって、一方の端部３１ａの側に押動されてもこの端部３１ａを係止ボルト３３が受止めないので、蔓巻きばね３１は枢軸８のまわりに空回りされるだけで、平行リンク１、２にダンパー機能を及ぼさない。しかし、係止ボルト３３を進出位置としておくことにより、蔓巻きばね３１の端部３１ｂが押動ピン２４によって端部３１ａの側に押動されると、この端部３１ａを係止ボルト３３が受け止めて逃がさないので、蔓巻きばね３１が両端部３１ａ、３１ｂ間でチャージされ、蔓巻きばね２１と同様に平行リンク１、２にダンパー機能を及ぼす。
【００２６】
これにより、係止ボルト３３を進退させてダンパー機構１２を働かせたり、働かせなかったりすると、収納部Ｃに収納するものの重量に合わせて、ダンパー機能を高めたり、弱めたりすることができる。もっともこのような複数の蔓巻きばねを同一の枢軸に装着して、選択的に働かせることもできる。
【００２７】
ギヤ２６には円弧状の長穴２６ａが設けられ、これに取付け基台３および取付け板２０間に確固に取り付けたストッパーピン３４が通るようにしてある。収納部Ｃが取出し位置まで下降する平行リンク１、２の伏倒位置にて、長穴２６ａの端部がストッパーピン３４に当接し平行リンク１、２がそれ以上下方に回動しないようにする。これによって、収納部Ｃが前記所定の取出し位置を越えて過剰に下降されるようなことがないようにしている。
【００２８】
枢軸５、６を連結した連結軸１７は、例えば図に示すようなパイプ部材とし、枢軸５、６の取付け基台３、４から突出している端部５ａ、６ａに嵌め合わせてねじ３５により固定してあり、異なった長さの連結軸１７を選択して使用し、あるいは取り替えられるようにしてある。これにより収納ボードＢの横サイズの異なるものに対応し、この収納ボードＢに適した大きさの収納部Ｃを昇降できるように支持することができる。収納部Ｃの両側板９の前部下間には、昇降動作用の把手９ａが取付けられている。
【００２９】
収納ボードＢの両側内面には、各取付け基台３、４を取付けるためのねじ穴３６を多段に設けてあり、収納ボードＢの高さに対して収納部用昇降支持ユニットＡの収納部Ｃを支持した状態の全高よりも高い場合に、収納部用昇降支持ユニットＡを使用者の背の高さに応じて収納ボードＢへの取付け高さを自由に変えられるようにしてある。
【００３０】
図７、図８は本発明の第２の実施例としての昇降収納部用の下降ダンパー装置を示している。本実施例は収納部用昇降支持ユニットＡの起伏する平行リンク１、２により収納部Ｃを格納位置とこの格納位置の前方下部へ引き出した取出し位置との間で昇降できるように支持して収納ボードＢに収容して取付け、収納部Ｃの下降速度を制限するダンパー機構１１を働かせた点で第１の実施例の場合と共通している。
【００３１】
本実施例では特に平行リンク１は図７（ａ）に示すように、垂直姿勢よりも後方側に傾斜した傾斜姿勢で収納部Ｃを格納位置に支持し、この傾斜姿勢から図８（ａ）に示す垂直姿勢の直前またはほぼ垂直姿勢になる位置まで、ダンパー機構１１との間に遊びを設けてある。具体的には、図７（ｂ）に示すようダンパー機構１１のロータリダンパ２２におけるギヤ２６と枢軸７との間に所定回転範囲の遊びＳＳを設けてある。
【００３２】
これにより、平行リンク１、２の起伏により収納部Ｃを格納位置とこの格納位置の前方下部へ引出した取出し位置との間で昇降できるように支持するのに、平行リンク１、２が、図７（ａ）に示すように垂直姿勢よりも後方側に傾斜した傾斜姿勢で収納部Ｃを格納位置に支持しているので、これだけで収納部Ｃの自重によって平行リンク１、２には後方への回転モーメントが働いていることにより、地震等にても収納部Ｃが平行リンク１、２を後方への傾斜姿勢から垂直姿勢に回動しながら不用意に持ち上がるようなことがないので使用の安全を図ることができる。
【００３３】
その上、この後方への傾斜姿勢から垂直姿勢の直前またはほぼ垂直姿勢になる位置まで、平行リンク１、２のリンク１ｂを枢支しかつこれに同体回転する枢軸７とギヤ２６ａとの間に遊びＳＳを持っていることにより、格納位置の収納部Ｃを平行リンク１、２が図８（ａ）に示す垂直姿勢直前ないしはほぼ垂直姿勢になって、図８（ｂ）に示すように遊びＳＳがなくなるまでは、ダンパー機構１１の蔓巻きばね２１が働かないのは勿論、ダンパ機構１１のロータリダンパ２２による抵抗なしに軽快に引き出すことができるので使用し易いし、地震等による揺れが大きく万一平行リンク１、２が前記垂直姿勢の直前またはほぼ垂直姿勢に達した以降は、通常の場合同様にダンパー機構１１のロータリダンパ２２が働くので、前記遊びＳＳによる弊害は特にない。
【００３４】
【発明の効果】
本発明の請求項１の発明の収納部用昇降支持ユニットは、支持手段の収納部を下降させる伏倒動作の途中でチャージされて抵抗を増す付勢手段と、収納部の昇降時に常時働いて速度を抑制するダンパー手段を備えているので、ダンパー手段で収納部の昇降速度を抑制するのと同時に、収納物品の重量が収納部の下降速度を増速させるのに従い付勢手段がチャージされて抵抗を増すので、収納部は比較的低速度で安全に下降させられるという効果が得られる。
【００３５】
また、請求項２の発明は、収納ボード内に上記のような収納部用昇降支持ユニットを収容して、取り付け基台を収納ボードに取り付け、平行リンクの自由端部側に収納部を支持する簡単な組み立て作業だけで、通常時は収納部を収納ボードに格納された状態とし、収納部に物品を出し入れするときに収納部を収納ボードの前方下部に引出し下降させた取り出し位置とする昇降収納装置とすることができる。
【図面の簡単な説明】
【図１】本発明の第１の実施例としての収納部用昇降支持ユニットを用いた昇降収納装置を示す正面図である。
【図２】図１の昇降収納装置の断面図である。
【図３】図１の昇降収納装置の収納部を収納ボードから引出し下降させた状態を示す縦断面図である。
【図４】図１の昇降収納装置に利用した収納部用昇降支持ユニットを示す斜視図である。
【図５】図１の収納部用昇降支持ユニットの一方の平行リンクの枢支構造とダンパー機構とを示す側面図である。
【図６】図５のダンパー機構部の横断面図である。
【図７】本発明の第２の実施例の収納部用昇降支持ユニットを用いた昇降収納装置の断面図およびリンクの枢軸とダンパー機構との遊びの状態を示す断面図である。
【図８】図７の昇降収納装置の収納部の引出し始めの状態を示す断面図およびリンクの枢軸とダンパー機構との遊びの状態を示す断面図である。
【符号の説明】
Ａ  収納部用昇降支持ユニット
Ｂ  収納ボード
Ｃ  収納部
Ｓ、ＳＳ  遊び
１、２  平行リンク
１ａ〜２ｂ  リンク
３、４  取付け基台
５〜８  枢軸
１０、３５  ねじ
１１、１２  ダンパー機構
１７  連結軸
２６、２７  増速ギヤ
【図１】
0003650592.tif 000002
【図２】
0003650592.tif 000003
【図３】
0003650592.tif 000004
【図４】
0003650592.tif 000005
【図５】
0003650592.tif 000006
【図６】
0003650592.tif 000007
【図７】
0003650592.tif 000008
【図８】
0003650592.tif 000009